(57)【要約】  【課題】  就寝時に不快でない睡眠時無呼吸対策用用具を提供しようとする。  【解決手段】  就寝時に人の背部に配されて仰臥姿勢になることを妨げる棒状部材を含み、該棒状部材が該棒状部材を就寝時に通常着用される衣服の背中部に着脱自在に係合又は粘着する結合部を備える睡眠時無呼吸対策用用具であり、前記棒状部材が発泡樹脂又は低反発発泡を素材とする睡眠時無呼吸対策用用具であり、前記棒状部材が長手方向に構造及び／又は形状を異にならしめられた睡眠時無呼吸対策用用具であり、前記結合部が、前記棒状部材に設けられた係着部と、該係着部と前記背中部とを係合する係合具とを備える睡眠時無呼吸対策用用具である。  【選択図】  図１
0003116982.tif 000002
【実用新案登録請求の範囲】
【請求項１】
就寝時に人の背部に人の丈方向に平行に配される長尺部を含み、該長尺部が該長尺部を就寝時に通常着用される衣服の背中部に着脱自在に結合する結合部を備える睡眠時無呼吸対策用用具。
【請求項２】
前記長尺部が、発泡樹脂を素材とする長尺部材を含んでなる請求項１に記載の睡眠時無呼吸対策用用具。
【請求項３】
前記長尺部が、低反発発泡樹脂を素材とする長尺部材を含んでなる請求項１に記載の睡眠時無呼吸対策用用具。
【請求項４】
前記長尺部材が長手方向に構造及び／又は形状を異にならしめられた請求項１ないし３のいずれかに記載の睡眠時無呼吸対策用用具。
【請求項５】
前記長尺部材が先細である請求項４に記載の睡眠時無呼吸対策用用具。
【請求項６】
人の背部に装着される用具であって、人の丈方向に平行に配される長尺部と、該長尺部を人体に装着する装着部とを含み、
該長尺部が、
該用具が装着されたときに、人の背部に面する長尺ベースと、
該用具が装着されて人体が寝具の上に仰臥姿勢のときに、該寝具の上面に当接する接触子とを備え、
該長尺ベースと該接触子とが、該長尺ベースの長手方向に沿った軸心の回りに回動自在に連結された睡眠時無呼吸対策用用具。
【請求項７】
前記装着部が、該長尺部を就寝時に通常着用される衣服の背中部に着脱自在に係合又は粘着する結合部を備える請求項６に記載の睡眠時無呼吸対策用用具。
【請求項８】
前記結合部が、前記長尺部に設けられた係着部と、該係着部と前記背中部とを係合する係合具とを備える請求項１、２、３、４、５、７のいずれかに記載の睡眠時無呼吸対策用用具。
【請求項９】
人体胴部に巻き回す長尺可撓性部材を備える請求項１乃至８のいずれかに記載の睡眠時無呼吸対策用用具。
【考案の詳細な説明】
【技術分野】
【０００１】
本考案は、睡眠時無呼吸症候群に対処する用具に関する。
【背景技術】
【０００２】
睡眠時無呼吸症候群に対処して睡眠時に仰臥姿勢にならないようにする用具は各種が開示されている。例えば、使用者が睡眠時に、クッションを取付部材を介してベルト状の肩掛け部材にとりつけたものを背負うように装着することによって、クッションの作用を利用し睡眠時に仰臥姿勢をとることができないようにし、使用者に自然に横臥またはうつ伏せの姿勢をとらせることにより、上気道の異常が起こらないようにしていびきを抑制するものである。（例えば、特許文献１参照。）
【０００３】
又、ボールやスポンジやウレタンフォーム等でつくられたクッション、あるいはタオルを丸めたもの等の仰臥邪魔体を仰臥邪魔体を保持または収容する保持手段により保持して紐状や帯状やベルト状やバンド状の固定手段により使用者の背中側に固定するいびき抑制具が開示されている。（例えば、特許文献２参照。）
【０００４】
さらに、背部にパッドが接合されたチョッキ状の着衣が開示されている。（例えば、特許文献３参照。）
【０００５】
しかし、これらの用具はいづれもクッションを身体に装着するための、ベルト状、バンド状、チョッキ状などの装着手段を有しており、これらの装着手段は本来は就寝時に身体に取り付けるものではなく、不快で睡眠を逆に妨げることにもなりかねない。特に夏場の薄着での就寝においては、これら装着手段が肌を刺激しかつ肌に跡をつけたり、あせもの原因になる可能性がある。チョッキ状のものは暑苦しく睡眠を妨げるおそれがある。さらに、これらの装着手段は下着や寝巻のように長時間身につける以上はそれらのように頻繁な洗濯を要するが、通常の衣類とは異なる構造のため洗濯が容易でない。
【特許文献１】特開２００１−６１８７５号公報（特許請求の範囲）
【特許文献２】特開２００３−３２５５６４号公報（特許請求の範囲）
【特許文献３】特開２０００−２８７８０３号公報（特許請求の範囲、図５）
【考案の開示】
【考案が解決しようとする課題】
【０００６】
本考案の目的は、就寝時に不快でない睡眠時無呼吸対策用用具を提供することにある。
【課題を解決するための手段】
【０００７】
本考案の要旨とするところは、就寝時に人の背部に人の丈方向に平行に配され仰臥姿勢になることを妨げる長尺部を含み、該長尺部が該長尺部を就寝時に通常着用される寝巻、肌着のような衣服の背中部に着脱自在に結合する結合部を備える睡眠時無呼吸対策用用具であることにある。
【０００８】
前記長尺部は、発泡樹脂を素材とする長尺部材を含んでなり得る。
【０００９】
前記長尺部材は、長手方向に構造及び／又は形状を異にならしめられ得る。
【００１０】
また、本考案の要旨とするところは、人の背部に装着される用具であって、人の丈方向に平行に配され仰臥姿勢になることを妨げる長尺部と、該長尺部を人体に装着する装着部とを含み、
該長尺部が、
該用具が装着されたときに、人の背部に面する長尺ベースと、
該用具が装着されて人体が寝具の上に仰臥姿勢のときに、該寝具の上面に当接する接触子とを備え、
該長尺ベースと該接触子とが、該長尺ベースの長手方向に沿った軸心の回りに回動自在に連結された睡眠時無呼吸対策用用具であることにある。
【００１１】
前記装着部は、前記長尺部を就寝時に通常着用される衣服の背中部に着脱自在に係合又は粘着する結合部を備え得る。
【００１２】
前記結合部は、前記長尺部に設けられた係着部と、該係着部と前記背中部とを係合する係合具とを備え得る。
【００１３】
前記睡眠時無呼吸対策用用具は、人体胴部に巻き回す長尺可撓性部材を備え得る。
【００１４】
前記長尺部材は発泡樹脂を素材とし得る。
【００１５】
前記長尺部材は低反発発泡樹脂を素材とし得る。
【００１６】
前記長尺部材は先細であり得る。
【考案の効果】
【００１７】
本考案により、就寝時に不快でない睡眠時無呼吸対策用用具が提供される。
【００１８】
本考案の睡眠時無呼吸対策用用具の使用にあたっては、頻繁な洗濯を要する特別の部材を使用しなくて済む。
【考案を実施するための最良の形態】
【００１９】
本考案の睡眠時無呼吸対策用用具の実施形態について、図面を使用して説明する。なお、本明細書においては、各図にわたって記される同じ符号は同一又は同様の部材やものを示す。図１に示すように、本考案の睡眠時無呼吸対策用用具２は、長尺部材４ｐからなる長尺部４と、長尺部４を就寝時に通常着用される寝巻、肌着のような衣服の背中部に着脱自在に係着する左右一対の係着部６、６とを含んで成る。係着部６は長尺部４の長手方向に直交する幅方向の両側部に配される。長尺部材４ｐは剛体状であってもよいが、スポンジのような弾性部材から成ることが好ましい。長尺部材４ｐの長さＬは人の背骨の１２個の胸椎全体の長さに近いかほぼ等しくされている。長尺部材４ｐの幅Ｗ及び厚さＴは約４〜１０ｃｍとされている。
【００２０】
Ｌと略同一の長幅と、Ｗより数ｃｍ乃至十数ｃｍ長い短幅の布１２が接着剤により長尺部４の背面１０に接着固定されている。図１の態様においては、布１２の短幅方向に関する両端部が長尺部材４ｐの背面１０からそれぞれはみだして係着部６を構成する。
【００２１】
図２に示すように、睡眠時無呼吸対策用用具２は就寝時に通常着用される寝巻、肌着のような衣服１５の背中部に着脱自在に係合される。この時、長尺部４が、衣服１５の人の背骨の１２個の胸椎全体が面する位置にほぼわたるように睡眠時無呼吸対策用用具２が衣服１５の背中部に係合される。係合は係着部６を介してなされ、衣服１５と、係着部６とが安全ピン８（係合具９）により、所定の数箇所で係着される。
【００２２】
係着部６と係合具９とで、長尺部４を衣服１５の背中部に着脱自在に係合して結合する結合部１１が構成される。
【００２３】
睡眠時無呼吸対策用用具２が係着された衣服１５を着用して図３に示すように人２０が就寝すると、長尺部４が就寝面１４と当接して仰臥姿勢をとることが妨げられる。
【００２４】
使用後に安全ピン８を外すことにより、衣服１５から睡眠時無呼吸対策用用具２が外され、衣服１５が睡眠時無呼吸対策用用具２を用いない通常使用の状態に戻される。通常使用の状態に戻った衣服１５は当然一般の衣服と同様に洗濯可能である。
【００２５】
図４に示す睡眠時無呼吸対策用用具２ｄのように、係着部６ａが、帯状の布１２ａを長尺部４に接着して形成されてもよい。
【００２６】
又、図５に示す睡眠時無呼吸対策用用具２ｅのように、係着部６ｂが長尺部材４ｐを収納する袋７に取り付けられていてもよい。
【００２７】
係着部６や係着部６ａと衣服１５との係着は、図６に示すようなクリップ２１（係合具９ａ）により成されてもよい。クリップ２１は樹脂製であり、対向の一対の把持片２２、２２が一端同士で連接し、把持片２２、２２の他端同士が離れようとすると自身の弾性により、近接する方向に付勢させる構成となっている。
【００２８】
図７に、クリップ２１により係着部６の布２６が衣服（図２、図３などに示される衣服１５）の布２８に係着される態様を模式的に示す。布２８が折られてひだ状となり、同じく折られた布２６の折り目２９の内側に挿入されて、布２８と布２６とが把持片２２、２２に挟持されることにより、係着部６の布２６が衣服の布２８に係着される。
【００２９】
本考案の他の態様においては、図８に示す睡眠時無呼吸対策用用具２ｂのように、係着部６に係合具９ｂが固定されて備えられていてもよい。図９の拡大模式図に示すように、係合具９ｂは、ホック状のメス部材３０とホック状のオス部材３２から成り、所定の間隔をおいて係着部６にそれぞれ裏打ち金具３４により固定されている。係着部６と係合具９ｂとで長尺部材４を衣服１５の背中部に着脱自在に係合する結合部１１ｂが構成される。
【００３０】
図１０に、係合具９ｂにより係着部６の布２６が衣服（図２、図３などに示される衣服１５）の布２８に係着される態様を模式的に示す。布２８が折られてひだ状となり、同じく折られた布２６の折り目２９の内側に挿入されて、布２８と布２６とがメス部材３０とオス部材３２とに挟持されることにより、係着部６の布２６が衣服の布２８に係着される。
【００３１】
本考案においては、図１１に示すように、一対の係着部６、６の間に衣服１５を構成する背部の布をたぐり込んで多段のしわ状の布のまとまり３６を形成し、まとまり３６の両端部の布と各係着部６とをそれぞれ係着させることも出来る。この態様により、だぶだぶの衣服１５の胴回りの長さを着用者の体にあわせて調整が可能となる。
【００３２】
図７、図１０、図１１に示す係着の態様においても、使用後に係合具９ａあるいは係合具９ｂ等による係合を解除すことにより、衣服１５から睡眠時無呼吸対策用用具２（２ｂ、２ｄ、２ｅなど）が外され、衣服１５を通常使用の状態に戻すことが出来る。
【００３３】
本考案のさらに他の態様においては、図１２に示す睡眠時無呼吸対策用用具２ｃのように、長尺部材４の底面に粘着剤層４０が備えられて、結合部１１ａとなっていてもよい。長尺部４は、粘着剤層４０を介して衣服に粘着することにより着脱自在に結合される。使用後に睡眠時無呼吸対策用用具２ｃを衣服からはがすようにして外すことにより、衣服を通常使用の状態に戻すことが出来る。
【００３４】
なお、本考案においては、長尺部４は図１３に示すように、装着されたときに人の丈方向に関しての下端５０が人の腰骨の位置５２から間隔ＬＬをおいた上方の位置５３に位置することが好ましい。ＬＬは５〜１０ｃｍである。下端５０が位置５３より下方にくると、快適な睡眠が妨げられることがある。
【００３５】
長尺部材は図１４に示す長尺部材４ａのように、装着されたときに装着されたときに人の丈方向に関しての下方にゆくほど細くされていることが睡眠時に違和感が少なく快適な睡眠の上でさらに好ましい。この態様を満たす睡眠時無呼吸対策用用具２ａの一例を図１６に示す。
【００３６】
長尺部材が長手方向に構造を異にならしめられてもよい。例えば、図１５に示す長尺部材４ｂのように、長手方向にＡ、Ｂ、Ｃの３つのゾーンにわかれ、各ゾーンごとに異なる素材の部材が用いられてもよい。各ゾーンはそれぞれかさ密度の異なる発泡樹脂で構成され、Ａ＞Ｂ＞Ｃの順にかさ密度が大きくなっていてもよい。これにより長尺部材４ｂは長手方向に硬さを異にならしめられて睡眠時に違和感が少なく快適な睡眠の上で好ましい。
【００３７】
本考案に用いられる長尺部材４は、上がわの面に相当する部分の外断面形状が略山形であることが睡眠を妨げず好ましい。長尺部材の好ましい断面形状の例を図１７に示す。図１７（ａ）は略蒲鉾形、図１７（ａ）は略三角形である。
【００３８】
長尺部材はクッション性を有する素材から成ることが好ましく、素材としては、発泡樹脂が挙げられる。又、空気、液体、ゲル、そば殻、小豆等の粗粉体、あるいはわたを封入した袋体、繊維集合体が挙げられる。長尺部材の素材としては、かさ密度０．０２〜０．１ｇｒ／ｃｃの発泡樹脂から成ることが快適な睡眠の上でさらに好ましい。ＪＩＳ
Ｋ６４０１によって測定した反発弾性率が２０％以下である低反発性の発泡樹脂から成ることが又さらに好ましい。発泡樹脂としては、例えばウレタン系やエステル系やオレフィン系の樹脂が挙げられる。
【００３９】
本考案のさらに別の態様においては、図１８に示す睡眠時無呼吸対策用用具２ｆのように、人体胴部に巻き回す、ベルト状の長尺可撓性部材１００を備えることができる。睡眠時無呼吸対策用用具２ｆにおいては、基台布１０２が袋７を備え、長尺部材４が袋７に収納されている。基台布１０２の一の縁部１０４が長尺部材４の一端近傍に位置し、他の縁部１０６が長尺部材４の他端近傍に位置する。長尺部材４の一端は装着されたとき人体頭部がわに配され、他端が人体足部がわに配されることとなる。一の縁部１０４の袋７を間にする２つの位置それぞれに連結帯１０７を介してクリップ１０８が取り付けられている。クリップ１０８はズボンを吊るための部材として用いられるサスペンダークリップと同様の構成と機能を有するものであるが、被係着物に着脱自在に係着するものであればその構成に限定されない。
【００４０】
他の縁部１０６には、長尺部４の長手方向と直交する方向に延出する長尺可撓性部材１００が配されている。長尺可撓性部材１００は、長手方向中間部で他の縁部１０６に縫合等により取り付けられている。長尺可撓性部材１００の両端部それぞれには面ファスナー１１０が配されている。
【００４１】
基台布１０２、袋７、クリップ１０８、長尺可撓性部材１００で衣服の背中部に着脱自在に係合する結合部１１ｆを構成している。
【００４２】
図１９に睡眠時無呼吸対策用用具２ｆが寝巻１１２に装着された状態を示す。睡眠時無呼吸対策用用具２ｆはクリップ１０８を介して即ちクリップ１０８で寝巻１１２を構成する布を掴んで寝巻１１２に係合される。
【００４３】
睡眠時無呼吸対策用用具２ｆが装着された寝巻１１２を着用したのち、長尺可撓性部材１００を人体胴部に巻き回してその端同士を面ファスナー１１０で連結固定する。これにより、長尺部４が確実に背中中央に固定される。長尺可撓性部材１００がない場合、例えば、図２に示す態様においては、結合部が寝巻１１２を介して人体に固定されるので、寝巻１１２が大きめで人体に確実に固定されない場合は、長尺部４が確実に背中中央に確実には固定されないことがある。
【００４４】
長尺可撓性部材１００の端同士の連結固定はバックルを介して行なわれる態様であってもよい。長尺可撓性部材１００が紐状物から成り、その紐状物が端同士で結ばれて端同士の連結固定がなされる態様であってもよい。
【００４５】
睡眠時無呼吸対策用用具（２、２ａ、２ｂ、２ｃ、２ｄ、２ｅ、２ｆ）においては、これらの睡眠時無呼吸対策用用具を装着して就寝中に寝返りをうとうとすると、長尺部４が障害となって寝返りがうちにくい場合がある。これに対処する本考案の態様を示す。図２０において、睡眠時無呼吸対策用用具２ｐが人の丈方向に平行に配される長尺部２０４と、長尺部２０４を人体に装着する装着部２２０とを含んでなる。
【００４６】
装着部２２０は長尺可撓性部材１００からなり、両端部それぞれに面ファスナー１１０が配されている。
【００４７】
長尺部２０４は、長尺ベース２００と、柱状の接触子２０２とを備えて構成される。長尺ベース２００は例えば長尺の板状であり、睡眠時無呼吸対策用用具２ｐが装着されたときに、人の背部に面することとなる。接触子２０２は、図２１に示すように睡眠時無呼吸対策用用具２ｐが装着されて人体２０が寝具の上に強制的に仰臥姿勢をとったときに、寝具２０５の上面２０７に当接することとなる。長尺ベース２００と接触子２０２とは、長尺ベース２００の長手方向に沿った軸心の回りに回動自在に連結されている。具体的には、長尺ベース２００の長手方向端部から垂下する軸受け部２１０が設けられ、接触子２０２の端部から突出する軸２１２を介して接触子２０２が軸受け部２１０に回動自在に軸着している。
【００４８】
かかる構成により、図２１に示すように、長尺ベース２００が軸２１２のまわりに回動自在とされているので、長尺ベース２００を背負ったかたちで就寝している人２０は軸２１２を中心として図２２に示すように、容易に寝返りをうつことができる。
【００４９】
接触子２０２は図２２に示すように円柱状であってもよいが、角柱状であってもよい。その他全体として長尺であれば形状は問わない。複数の部材からなるものであってもよい。
【００５０】
図２３に示すように、装着部２２０がクリップ１０８と長尺可撓性部材１００とを備えていてもよい。長尺可撓性部材１００の先端部には粘着性の接着剤シート（粘着シート）２４０が貼り付けられて固定されており、粘着シート２４０を介して長尺可撓性部材１００の先端部が衣服に着脱自在に貼着される。図２３に示す態様においては、クリップ１０８、長尺可撓性部材１００で衣服に着脱自在に係合する結合部を構成している。
【００５１】
図２４に示す睡眠時無呼吸対策用用具２ｑのように、接触子２０２ｑが複数個の環状子２２２から構成されてもよい。環状子２２２は長尺ベース２００の長手方向に平行に配された軸棒２２４に串刺しされて配列し、軸棒２２４が、長尺ベース２００の長手方向端部から垂下する軸棒受け部２１０ｑ、２１０ｑに差し渡され固定されている。睡眠時無呼吸対策用用具２ｑの装着部２２０は図２４（ａ）に示すように一対の長尺可撓性部材１００を備えて睡眠時無呼吸対策用用具２ｑが直接人体に装着されてもよい。あるいは、図２４（ｂ）に示すようにクリップ１０８と、粘着シート２４０付きの長尺可撓性部材１００を備えて睡眠時無呼吸対策用用具２ｒがクリップ１０８と長尺可撓性部材１００とを介して衣服に係合してもよい。
【００５２】
図２５〜図２７に環状子２２２の形状の例を示す。環状子２２２の孔部２２６に軸棒２２４が挿通する。
【００５３】
複数の環状子２２２に代えて図２８に示すような筒部材２３２が用いられてもよい。筒部材２３２の中空部２３４に軸棒２２４が挿通する。筒部材２３２の外断面形状は円形であってもよい。三角形（図２９）であってもよい。その他の多角形であってもよい。
【００５４】
本考案のさらに他の態様においては、図３０に示す睡眠時無呼吸対策用用具２ｓのように、長尺部２０４ｓが接触子２０２ｓと長尺部材４ｐとを含んで構成されていてもよい。接触子２０２ｐｐと長尺部材４ｐとは長尺部２０４ｓを長手方向に約２分する２つの部位のそれぞれに配されている。
【００５５】
これらの、回動自在な接触子を備える睡眠時無呼吸対策用用具には、接触子の回転に摩擦制動をかける不図示の制動手段が内蔵されていてもよい。制動手段は、例えば、接触子と長尺ベースとの間に挿入され、接触子と長尺ベースとで挟持された繊維マットであってもよい。
【００５６】
長尺ベースは図２４に示す長尺ベース２００のように人体と面するがわの面にクッションマット２３６を備えていてもよい。
【００５７】
その他、本考案は、主旨を逸脱しない範囲で当業者の知識に基づき種々なる改良、修正、変更を加えた態様で実施できるものである。
【図面の簡単な説明】
【００５８】
【図１】本考案の睡眠時無呼吸対策用用具の構成を示す斜視図である。
【図２】本考案の睡眠時無呼吸対策用用具が衣服の背中部に係合された状態を示す模式図である。
【図３】本考案の睡眠時無呼吸対策用用具を装着して就寝する状態の説明図である。
【図４】本考案の睡眠時無呼吸対策用用具の構成の他の一例を示す斜視図である。
【図５】本考案の睡眠時無呼吸対策用用具の構成のさらに他の一例を示す断面模式図である。
【図６】本考案の睡眠時無呼吸対策用用具に用いられる係合具の一例を示す斜視図である。
【図７】クリップにより係着部の布が衣服の布に係着される態様を説明する断面模式図である。
【図８】本考案の睡眠時無呼吸対策用用具に用いられる係合具が係着部に固定された態様の一例を示す斜視図である。
【図９】図８における係合具が係着部に固定された部分の拡大模式図である。
【図１０】図８における結合部により衣服を係合する態様を説明する断面模式図である。
【図１１】本考案の睡眠時無呼吸対策用用具において衣服を係合する他の一例を説明する断面模式図である。
【図１２】本考案の睡眠時無呼吸対策用用具の構成の又さらに他の一例を示す断面図である。
【図１３】本考案の睡眠時無呼吸対策用用具が装着された状態を説明する図である。
【図１４】図１３に示す態様とは異なる態様の本考案の睡眠時無呼吸対策用用具が装着された状態を説明する図である。
【図１５】図１４に示す態様とは異なる態様の本考案の睡眠時無呼吸対策用用具が装着された状態を説明する図である。
【図１６】本考案の睡眠時無呼吸対策用用具の他の一例を示し、図１６（ａ）は正面図、図１６（ｂ）は側面図である。
【図１７】本考案の睡眠時無呼吸対策用用具に用いられる長尺部材の形状の例を示す断面図であり、図１７（ａ）、図１７（ｂ）にそれぞれ異なる態様が示される。
【図１８】本考案の睡眠時無呼吸対策用用具のさらに別の態様を示し、図１８（ａ）は平面図、図１８（ｂ）は正面図である。
【図１９】図１８に示す睡眠時無呼吸対策用用具が寝巻に装着された状態を示す平面模式図である。
【図２０】本考案の睡眠時無呼吸対策用用具の別の態様の構成を示す斜視図である。
【図２１】図２０の睡眠時無呼吸対策用用具が人体に装着された状態を示す模式図である。
【図２２】図２０の睡眠時無呼吸対策用用具を装着した人が寝返りする状態を示す説明図である。
【図２３】本考案の睡眠時無呼吸対策用用具の構成のさらに別の一例を示す一部透視斜視図である。
【図２４（ａ）】本考案の睡眠時無呼吸対策用用具の構成のまたさらに別の一例を示す斜視図である。
【図２４（ｂ）】本考案の睡眠時無呼吸対策用用具の図２４（ａ）とは異なる態様の構成を示す斜視図である。
【図２５】本考案の睡眠時無呼吸対策用用具に用いられる環状子の形状の一例をを示し、図２５（ａ）は側面図、図２５（ｂ）は正面図である。
【図２６】本考案の睡眠時無呼吸対策用用具に用いられる環状子の形状の他の一例を示し、図２６（ａ）は側面図、図２６（ｂ）は正面図である。
【図２７】本考案の睡眠時無呼吸対策用用具に用いられる環状子の形状のさらに他の一例を示し、図２７（ａ）は側面図、図２７（ｂ）は正面図である。
【図２８】本考案の睡眠時無呼吸対策用用具に用いられる筒部材の形状の一例を示し、図２８（ａ）は側面図、図２８（ｂ）は正面図である。
【図２９】本考案の睡眠時無呼吸対策用用具に用いられる筒部材の形状の他の一例を示し、図２９（ａ）は側面図、図２９（ｂ）は正面図である。
【図３０】本考案の睡眠時無呼吸対策用用具の構成のさらにまた別の態様の一例を示し、図３０（ａ）は側面図、図３０（ｂ）は背面図、図３０（ｃ）は正面図である。
【符号の説明】
【００５９】
２、２ａ、２ｂ、２ｃ、２ｄ、２ｅ、２ｆ、２ｐ、２ｑ、２ｒ、２ｓ：睡眠時無呼吸対策用用具
４、２０４：長尺部
４ａ、４ｂ、４ｐ：長尺部材
６、６ａ：係着部
９、９ａ、９ｂ：係合具
１１、１１ａ：結合部
１５：衣服
１００：長尺可撓性部材
２２０：装着部
２００：長尺ベース
２０２、２０２ｑ、２０２ｓ、２０２ｐｐ：接触子
【図１】
0003116982.tif 000003
【図２】
0003116982.tif 000004
【図３】
0003116982.tif 000005
【図４】
0003116982.tif 000006
【図５】
0003116982.tif 000007
【図６】
0003116982.tif 000008
【図７】
0003116982.tif 000009
【図８】
0003116982.tif 000010
【図９】
0003116982.tif 000011
【図１０】
0003116982.tif 000012
【図１１】
0003116982.tif 000013
【図１２】
0003116982.tif 000014
【図１３】
0003116982.tif 000015
【図１４】
0003116982.tif 000016
【図１５】
0003116982.tif 000017
【図１６】
0003116982.tif 000018
【図１７】
0003116982.tif 000019
【図１８】
0003116982.tif 000020
【図１９】
0003116982.tif 000021
【図２０】
0003116982.tif 000022
【図２１】
0003116982.tif 000023
【図２２】
0003116982.tif 000024
【図２３】
0003116982.tif 000025
【図２４（ａ）】
0003116982.tif 000026
【図２４（ｂ）】
0003116982.tif 000027
【図２５】
0003116982.tif 000028
【図２６】
0003116982.tif 000029
【図２７】
0003116982.tif 000030
【図２８】
0003116982.tif 000031
【図２９】
0003116982.tif 000032
【図３０】
0003116982.tif 000033